(57)【要約】      （修正有）【課題】木製時計の指示盤として特殊板材を使用して、木盤の特質で装飾性の高い指示盤を備えた掛け時計にした、自然観、立体感が得られる特質木盤付き時計を提供する。【解決手段】掛け時計、又は置き時計における木製指示盤として、前記文字なしの無垢の略正方形状木平盤上に回動する短針８及び長針９とを備え、前記指示盤は、装飾性を持つ木目を有して波状形状５、或は節入り形状の平板盤であって、厚さ２０〜５０ｍｍの木製の縦横１００〜５００ｍｍの略正方形状である部屋の特殊木質での装飾板になっている特質木盤付き時計である。【選択図】図１
0003210204.tif 000002
【実用新案登録請求の範囲】
【請求項１】
掛け時計、又は置き時計における木製指示盤として、前記文字なしの無垢の略正方形状木平盤上に回動する短針及び長針とを備え、前記指示盤は、装飾性を持つ杢目を有して波状形状、或は節入り形状の平板盤であって、厚さ２０〜５０ｍｍの木製の縦横１００〜５００ｍｍの略正方形状である部屋の特殊木質での装飾板になっていることを特徴とする特質木盤付き時計。
【請求項２】
部屋の特殊木質での装飾板になっている前記指示盤の木盤は、色彩として趣を持たせる色彩である茶色から黒褐色を呈するウォールナット、チーク、チェリー、オーク、栗、メープルから選ばれた材料であって、厚さ２０〜５０ｍｍの木製の縦横２００〜５００ｍｍの略正方形状木盤に、深さ５〜１０ｍｍ、幅２０〜１００ｍｍの波状曲面を２〜７ケ所、及び／又は５〜５０ｍｍ径の節部を１〜５個を持っていることを特徴とする請求項１に記載の特質木盤付き時計。
【請求項３】
前記指示盤は、表面の波形状、節形状を引き立たせて、木質の変色防ぐために、杢目を有して波形状、及び節部を持つ表面上に漆、又はウレタン塗料、及び植物性オイルによって１０〜１００μｍの厚さの塗膜を形成させることを特徴とする請求項１、又は請求項２に記載の特質木盤付き時計。
【考案の詳細な説明】
【技術分野】
【０００１】  本考案は、室内の壁面など内装の装飾性を増すために、前記文字なしの無垢の略正方形状木平盤上を回動する短針及び長針とを備え、前記指示盤は、装飾性を持つ波状形状、或は節入り形状の平板盤である掛け時計、又は嵌め込み時計であって、装飾性の高い指示盤を備えた特質木盤付き時計に関する。
【背景技術】
【０００２】室内の壁面など内装の装飾性を増すために、時計の文字盤に装飾を施す場合、文字盤上に模様、図形等を立体的に形成することがある。十二支を構成する獣の立体図形を、木製の文字盤に貼り付けた装飾時計が開示されている（特許文献１参照）。【０００３】文字盤の厚さを抑制しつつ、立体感が得られる置時計を提供するために、前記文字盤は、金属製のベース板と、前記ベース板の表側に重ねられ、対象物の形状に形成された金属製の装飾板と、を有し、前記装飾板に模様を表現した１又は複数の貫通孔が設けられている置き時計がされている。（特許文献２参照）。また額縁の枠の４辺にガラス板を固定するために木板をつけ  空間を持たせかつ立体的になるように木板マットに厚さのある板に写真などを取り付けた装飾木盤スペースを設けた額縁が提案されている（特許文献３参照）。【０００４】時刻表示に発光ダイオードを用いた時計を提供することを目的として、１から１２の文字が円形に並べられた文字盤と、時を示すための円形に並べられた１２個の時表示用発光ダイオードと、時表示用発光ダイオードの円の内側に、分を示すための円形に並べられた６０個の分表示用発光ダイオードと、分表示用発光ダイオードの円の内側に、発光ダイオードを駆動する発光ダイオード駆動回路と、を備えて、現在時刻を表示するように構成された発光ダイオード時計である（特許文献４参照）。【０００５】室内の壁面など内装の装飾性を増すために、時計の指示盤として、装飾性を持つ波状形状、或は節入り形状の平板盤のみを使用して、前記文字なしの無垢の木平盤上を回動する短針及び長針とを備えた、掛け時計、又は嵌め込み時計を提供するものであり、装飾性の高い指示盤を備えた特質木盤付き時計に関しては今まで存在していなかった。
【先行技術文献】
【特許文献】
【０００６】
【特許文献１】実開昭６２−１９３５８３号公報
【特許文献２】実用新案登録第３１９９４８５号公報、
【特許文献３】実用新案登録第３１０７７４７号公報
【特許文献４】特開２０００−２３０９９０号公報
【考案の概要】
【考案が解決しようとする課題】
【０００７】  木製装飾的時計において、指示盤として木質の特性を示す斬新的模様形状の木盤を有するものは少なく、一般的な平板のものであって、掛け時計、又は嵌め込み時計における木製指示盤で時計全体の形状で、装飾感、立体感が損なわれ、木盤の木面を立体形状が目立たない。その一方、立体図形の高さを大きくすると、木製で立体感が得られるものの、時計の装飾性と特異性をもたらせることに不足するという問題がある。【０００８】  本考案は斯かる事情に鑑みてなされたものであり、その主たる目的は、掛け時計、又は嵌め込み時計における木製指示盤として、装飾性を持つ木目を有して波状形状、或は節入り形状の平板盤から浮き上がるようにして、装飾性の高い特質木製指示盤を備えた時計にしつつ、自然観と装飾感と立体感が得られる部屋の壁面の装飾性を増す掛け時計、又は置き時計を提供することにある。
【課題を解決するための手段】
【０００９】掛け時計、又は置き時計における木製指示盤として、前記文字なしの無垢の略正方形状木平盤上に回動する短針及び長針とを備え、前記指示盤は、装飾性を持つ木目を有して波状形状、或は節入り形状の平板盤であって、厚さ２０〜５０ｍｍの木製の縦横１００〜５００ｍｍの略正方形状である部屋の特殊木質での装飾板になっている特質木盤付き時計である。【００１０】部屋の特殊木質での装飾板になっている前記指示盤の木盤は、色彩として趣を持たせる色彩である茶色から黒褐色を呈するウォールナット、チーク、チェリーオーク、栗、メープルから選ばれた材料であって、厚さ２０〜５０ｍｍの木製の縦横２００〜５００ｍｍの略正方形状木盤に、深さ５〜１０ｍｍ、幅２０〜１００ｍｍの波状曲面を２〜７ケ所、及び／又は５〜５０ｍｍ径の節部を１〜５個を持っていることを特徴とする請求項１に記載の特質木盤付き時計。【００１１】前記指示盤は、表面の波形状、節形状を引き立たせて、木質の変色防ぐために、杢目を有して波形状、及び節部を持つ表面上に漆、又はウレタン塗料、及び植物性オイルによって１０〜１００μｍの厚さの塗膜を形成させる。
【考案の効果】
【００１４】掛け時計、又は置き時計における木製指示盤で、装飾性を持つ杢目を有して波状形状、或は節入り形状の平板盤から浮き上がるようにして、装飾性の高い特質木製指示盤を備えた時計にしつつ、自然観と装飾感と立体感が得られる部屋の壁面の装飾性を増す木製の形状で木製平盤から浮き上がるようになって、時計と合わせて、部屋の壁面を立体感が損なわれず、木材の特質な形状体である時計の装飾性と特異性をもたらせた。これによってこれを設置した部屋では装飾性をもたらした。
【図面の簡単な説明】
【００１５】
【図１】特質木盤付き掛け時計と置き時計を示す斜視図。Ａ：掛け時計  Ｂ：置き時計
【図２】掛け時計における指示盤で木目を有して波状形状、或は節入り形状の平板盤を示す正面図。Ａ：波状盤  Ｂ：波状と節入り盤
【図３】波状形状の平板盤での波状の数で木盤の波模様の数を示す正面図。Ａ：３個  Ｂ：７個
【図４】木盤の杢目の状態と特徴の形状を示す正面図。Ａ：多い場合  Ｂ：少ない場合
【図５】部屋内に特質木盤付き掛け時計を取り付けた部屋の状態を示す斜視図。
【考案を実施するための形態】
【００１６】  以下、本考案の好ましい実施の形態を、図面を参照しながら説明する。
図１は、特質木盤付き掛け時計を示す斜視図、図２は、掛け時計における指示盤で木目を有して波状形状、或は節入り形状の平板盤を示す正面図、図３は、波状形状の平板盤での波の数の違いの木盤の波模様と数を示す正面図、図４は、木盤の木目の状態と特徴の形状を示す正面図、図５は、部屋内に特質木盤付き掛け時計を取り付けた部屋の状態を示す斜視図である。
【実施例１】
【００１７】掛け時計における木製指示盤として、前記文字なしの無垢の略正方形状木平盤上を回動する短針及び長針とを備え、前記指示盤は、装飾性を持つ杢目を有して波状形状、或は節入り形状の平板盤であって、厚さ４０ｍｍの木製の縦横２８０ｍｍの略正方形状であった。【００１８】前記指示盤は、厚さ４０ｍｍの木製の縦横２８０ｍｍの略正方形状木盤に、深さ１０ｍｍ、幅８０ｍｍの波状曲面を５ケ所、１０ｍｍ径の節部１個を持ち、色彩として趣を持たせる色彩である黒褐色を呈するウォールナット材料であった。【００１９】前記指示盤は、表面の波形状、節形状を引き立たせて、木質の変色防ぐために、杢目を有して波形状、及び節部を持つ表面上に漆によって１０μｍの厚さの塗膜を形成させた。
【実施例２】
【００２０】掛け時計における木製指示盤として、前記文字なしの無垢の略正方形状木平盤上を回動する短針及び長針とを備え、前記指示盤は、装飾性を持つ杢目を有して波状形状、或は節入り形状の平板盤であって、厚さ４０ｍｍの木製の縦横４００ｍｍの略正方形状であった。【００２１】部屋の特殊木質での装飾板になっている前記指示盤は、厚さ３５ｍｍの木製のオークの縦横４００ｍｍの略正方形状木盤に、深さ１０ｍｍ、幅８０ｍｍの波状曲面を５ケ所、１０ｍｍ径の節部２個を持ち、色彩として趣を持たせる色彩である薄茶色を呈するオーク材料であった。【００２２】前記指示盤は、表面の波形状、節形状を引き立たせて、木質の変色防ぐために、木目を有して波形状、及び節部を持つ表面上にウレタン塗料によって１０μｍの厚さの塗膜を形成させた。
【実施例３】
【００２４】掛け時計における木製指示盤として、前記文字なしの無垢の略正方形状木平盤上を回動する短針及び長針とを備え、前記指示盤は、装飾性を持つ木目を有して波状形状、或は節入り形状の平板盤であって、厚さ５０ｍｍの木製の縦横２４００ｍｍの略正方形状であった。【００２５】前記指示盤は、厚さ５０ｍｍの木製の縦横４００ｍｍの略正方形状木盤に、深さ１０ｍｍ、幅８０ｍｍの波状曲面を６ケ所持ち、色彩として趣を持たせる色彩である乳白色を呈するメープルから選ばれた材料であった。【００２６】前記指示盤は、表面の波形状を引き立たせて、木質の変色防ぐために、杢目を有して波形状を持つ表面上ウレタン塗料によって１０μｍの厚さの塗膜を形成させた。
【符号の説明】
【００２７】１  時計（掛け時計、又は置き時計）
２  指示盤
３  略正方形木盤
４  杢目
５  波状形状
６  節部
７  塗膜
８  短針
９  長針
１０  掛け時計
１１  置き時計
１２  壁面
１３  開戸
１４  家具
【図１】
0003210204.tif 000003
【図２】
0003210204.tif 000004
【図３】
0003210204.tif 000005
【図４】
0003210204.tif 000006
【図５】
0003210204.tif 000007